(57)【特許請求の範囲】
【請求項１】
縦方向および横方向にそれぞれ複数のコイルが巻き付けられた磁性体板と、
前記複数のコイルのそれぞれに接続される積分回路からなる誘導起電力検出部と、
前記誘導起電力検出部の出力が供給される磁石位置決定部とを備え、
前記磁性体板に磁石が貼付されたとき、前記磁石位置決定部により前記誘導起電力検出部の前記積分回路の出力に基づいて前記複数のコイルと前記磁石貼付位置との間の距離を求め前記磁石の貼付座標位置を決定する
ことを特徴とする磁石を利用した情報入力装置。
【請求項２】
請求項１記載の磁石を利用した情報入力装置において、
前記磁性体板から磁石が取り外されたとき、前記磁石位置決定部により前記誘導起電力検出部の前記積分回路の出力に基づいて前記複数のコイルと前記磁石取り外し位置との間の距離を求め前記磁石の取り外された座標位置を決定する
ことを特徴とする磁石を利用した情報入力装置。
【請求項３】
請求項１または２記載の磁石を利用した情報入力装置において、
さらに、
前記複数のコイルが巻き付けられた磁性体板上を覆うように取り付けられるシート体を備える
ことを特徴とする磁石を利用した情報入力装置。
【請求項４】
請求項３記載の磁石を利用した情報入力装置において、
前記シート体上に、前記磁石で表現しようとする異なる情報の属性に対応した複数の属性付き磁石収納領域を設けた
ことを特徴とする磁石を利用した情報入力装置。
【請求項５】
請求項３記載の磁石を利用した情報入力装置において、
さらに、
前記シート体上に地図表示領域を設け、
前記地図上の位置情報と前記シート体上の座標位置とを対応させて予め記憶する記憶装置と、
前記磁石位置決定部と前記記憶装置とに接続される地理的位置決定部とを有し、
前記地理的位置決定部は、前記磁石位置決定部から出力された座標位置に基づき前記記憶装置を参照して、前記座標位置に対応する前記地図上の位置情報を読み出す
ことを特徴とする磁石を利用した情報入力装置。
【請求項６】
縦方向および横方向にそれぞれ複数のコイルが巻き付けられた磁性体板と、
前記磁性体板上を覆うように取り付けられ地図表示領域が設けられたシート体と、
前記複数のコイルのそれぞれに接続される誘導起電力検出部と、
前記誘導起電力検出部の出力が供給される磁石位置決定部と、
前記地図上の位置情報と前記シート体上の座標位置とを対応させて予め記憶する記憶装置と、
前記磁石位置決定部と前記記憶装置とに接続される地理的位置決定部と
を備え、
前記磁性体板に磁石が貼付されたとき、前記磁石位置決定部により前記誘導起電力検出部の出力に基づいて前記磁石の貼付座標位置を決定し、前記地理的位置決定部は、前記磁石位置決定部から出力された座標位置に基づき前記記憶装置を参照して、前記座標位置に対応する前記地図上の位置情報を読み出す磁石を利用した情報入力装置であって、
前記シート体上に、前記磁石で表現しようとする異なる情報の属性に対応した複数の属性付き磁石収納領域を設け、
前記記憶装置には、前記複数の属性付き磁石収納領域の位置情報を、予め前記シート体上の座標位置として、各属性と対応させて記憶し、
前記磁石位置決定部と前記記憶装置とに接続される属性領域決定部とを有し、
前記属性付き砥石収納領域から取り外された所望の磁石が、前記地図上の所望の位置に貼付されたとき、
前記属性領域決定部は、前記磁石位置決定部から出力される前記磁石の取り外し座標位置に基づき、前記記憶装置を参照して前記取り外された所望の磁石に係る属性情報を読み出し、
前記地理的位置決定部は、前記磁石位置決定部から出力される前記磁石の貼付座標位置に基づき、前記記憶装置を参照して前記貼付された磁石に係る前記地図上の位置情報を読み出す
ことを特徴とする磁石を利用した情報入力装置。
【請求項７】
請求項６記載の磁石を利用した情報入力装置において、
前記磁石自体に前記属性情報を区別する表示がなされている
ことを特徴とする磁石を利用した情報入力装置。
【請求項８】
請求項６または７記載の磁石を利用した情報入力装置において、
前記シート体がライティングボードとして用いられる
ことを特徴とする磁石を利用した情報入力装置。
【請求項９】
縦方向および横方向にそれぞれ複数のコイルが巻き付けられた磁性体板と、
前記磁性体板に貼付された、異なる情報の属性に対応した複数の属性付き磁石と、
前記磁性体板上に設けられた、前記磁石の属性のそれぞれに対応した属性付き磁石収納領域と、
前記複数のコイルのそれぞれに接続される積分回路からなる誘導起電力検出部と、
前記誘導起電力検出部の出力が供給される磁石位置決定部とを備え、
前記属性付き磁石収納領域から前記属性付き磁石が取り外されたとき、前記磁石位置決定部により前記誘導起電力検出部の前記積分回路の出力に基づいて前記複数のコイルと前記属性付き磁石取り外し位置との間の距離を求め前記属性付き磁石の取り外された属性付き磁石収納領域を決定し、
前記磁性体板に、取り外された前記属性付き磁石が貼付されたとき、この貼付された前記属性付き磁石の貼付座標位置を、前記磁石位置決定部により前記誘導起電力検出部の前記積分回路の出力に基づいて前記複数のコイルと前記属性付き磁石貼付位置との間の距離を求め決定する
ことを特徴とする磁石を利用した情報入力装置。
【発明の詳細な説明】
【０００１】
【発明の属する技術分野】
この発明は、黒板、青板、白板等のライティングボードに適用して好適な磁石を利用した情報入力装置に関する。
【０００２】
【従来の技術】
情報入力装置として、従来から、たとえば、ライティングボードにマーカ等により描かれた文字、記号、図形等を、ＣＣＤリニアセンサ等の走査光学系により走査して読み取り、ビットマップ情報を得、該ビットマップ情報に基づきコピーを出力する、いわゆる電子黒板が市販され広範に使用されている。
【０００３】
この電子黒板では、ビットマップ情報に基づき、パーソナルコンピュータのモニタ上やプリンタの出力であるハードコピー上に、上記の文字、記号、図形等を再生することが可能である。
【０００４】
また、他の情報入力装置として、予め、色、文字等により磁石に特定の属性情報を付与し、この属性付き磁石を、たとえば、出勤情報あるいは行き先情報が描かれた磁性体製のライティングボードに貼付あるいは取り外すことで、たとえば、会社等での社員の出勤情報、行き先情報を表現する情報入力装置も周知である。
【０００５】
この磁石を利用した情報入力装置は、操作が簡単であり、かつライティングボードを見た人が情報の表示内容を容易に理解することができるという利便性を有する。
【０００６】
【発明が解決しようとする課題】
しかしながら、電子黒板等により得られるビットマップ情報は、たとえば、文字を１文字表示するだけであっても大量の記憶情報が必要とされ、結果として、前記走査光学系、したがって電子黒板自体が高価となり、また情報を記憶するためのメモリ装置も高価になるという問題がある。
【０００７】
また、磁石を利用した情報入力装置では、表示情報をデータとしてコンピュータにより処理することができないという問題がある。
【０００８】
磁石に表示された情報をデータとしてコンピュータにより処理することを可能とする従来技術として、たとえば、特開平４−２９５８７９号公報に開示された「表示用磁石を備えた表示板」に係る技術を挙げることができる。
【０００９】
この技術では、表示板であるライティングボードに、予め仕事内容を表す勤務状況表が描かれている。また、このライティングボードには、前記勤務状況表中の仕事内容の升目（枠）に対応する位置にリードスイッチが縦横に碁盤上に埋め込まれている。そして、各リードスイッチにはコントローラを介してコンピュータが接続され、また、前記コントローラにはバーコードリーダーが接続されている。そして、さらに、コンピュータには、予め前記各升目が表す仕事内容が記憶され、表示用磁石には、各人の名前とこれに対応するバーコードが表示されている。
【００１０】
したがって、各人が、表示用磁石をライティングボードに貼付する際に、まず、バーコードリーダーにより名前を表すバーコードを読み取らせた後、所定の升目に該表示用磁石を貼付することで、対応するリードスイッチがオン状態とされ、前記コンピュータにより、仕事内容等の各人の勤務状況を管理することができる。すなわち、磁石に表示された情報をコンピュータによりデータとして処理することができる。
【００１１】
しかしながら、この技術では、情報を表現しようとする升目の数と同じ数のリードスイッチが必要となり、このリードスイッチからの配線数がきわめて大きな数となり、結果として、ライティングボードの組立コスト、製造コストが高騰するという問題がある。
【００１２】
また、この技術では、バーコードリーダーが必要となり、その分、装置が高価になるとともに、表示用磁石をライティングボードに貼付する際に、表示用磁石に描かれたバーコードを読み取らせる必要があり、操作の際の繁雑さが増加し、操作性が劣化するという問題がある。
【００１３】
この発明はこのような課題を考慮してなされたものであり、簡単な構成で磁石の位置を知ることを可能とするとともに、磁石の属性情報をデータとして知ることを可能とする磁石を利用した情報入力装置を提供することを目的とする。
【００１４】
【課題を解決するための手段】
この項では、理解の容易化のために添付図面中の符号を付けて説明する。したがって、この項に記載した内容がその符号を付けたものに限定して解釈されるものではない。
【００１５】
この発明に係る磁石を利用した情報入力装置は、縦方向および横方向にそれぞれ複数のコイル（５４）（５６）が巻き付けられた磁性体板（５２）と、前記複数のコイルのそれぞれに接続される積分回路からなる誘導起電力検出部（５８）（６０）と、前記誘導起電力検出部の出力が供給される磁石位置決定部（１６、１１０）とを備え、前記磁性体板に磁石が貼付されたとき、前記磁石位置決定部により前記誘導起電力検出部の前記積分回路の出力に基づいて前記複数のコイルと前記磁石貼付位置との距離を求め前記磁石の貼付座標位置を決定することを特徴とする（請求項１記載の発明）。
【００１６】
この場合において、前記磁性体板から磁石が取り外されたとき、前記磁石位置決定部により前記誘導起電力検出部の前記積分回路の出力に基づいて前記複数のコイルと前記磁石取り外し位置との間の距離を求め前記磁石の取り外された座標位置を決定することができる（請求項２記載の発明）。
【００１７】
また、請求項１または２記載の発明において、前記複数のコイルが巻き付けられた磁性体板上を覆うように取り付けられるシート体（２５）を備えるようにしてもよい（請求項３記載の発明）。
【００１８】
この請求項３記載の発明において、前記シート体上に、前記磁石で表現しようとする異なる情報の属性に対応した複数の属性付き磁石収納領域（２４Ａ〜２４Ｅ）を設けてもよい（請求項４記載の発明）。
【００１９】
また、請求項３記載の発明において、さらに、前記シート体上に地図表示領域（２２）を設け、前記地図上の位置情報と前記シート体上の座標位置とを対応させて予め記憶する記憶装置（１０９、１２０）と、前記磁石位置決定部と前記記憶装置とに接続される地理的位置決定部（１１４）とを有し、前記地理的位置決定部は、前記磁石位置決定部から出力された座標位置に基づき前記記憶装置を参照して、前記座標位置に対応する前記地図上の位置情報（Ｑｃ）を読み出すようにしてもよい（請求項５記載の発明）。
【００２０】
この発明の情報入力装置は、縦方向および横方向にそれぞれ複数のコイル（５４）（５６）が巻き付けられた磁性体板（５２）と、前記磁性体板上を覆うように取り付けられ地図表示領域が設けられたシート体（２５）と、前記複数のコイルのそれぞれに接続される誘導起電力検出部（５８）（６０）と、前記誘導起電力検出部の出力が供給される磁石位置決定部（１６）（１１０）と、前記地図上の位置情報と前記シート体上の座標位置とを対応させて予め記憶する記憶装置（１０９）と、前記磁石位置決定部と前記記憶装置とに接続される地理的位置決定部（１１４）とを備え、前記磁性体板に磁石（３１）が貼付されたとき、前記磁石位置決定部により前記誘導起電力検出部の出力に基づいて前記磁石の貼付座標位置を決定し、前記地理的位置決定部は、前記磁石位置決定部から出力された座標位置に基づき前記記憶装置を参照して、前記座標位置に対応する前記地図上の位置情報を読み出す磁石を利用した情報入力装置であって、前記シート体上に、前記磁石で表現しようとする異なる情報の属性に対応した複数の属性付き磁石収納領域を設け、前記記憶装置（１０９、１１８）には、前記複数の属性付き磁石収納領域の位置情報を、予め前記シート体上の座標位置として、各属性と対応させて記憶し、前記磁石位置決定部と前記記憶装置とに接続される属性領域決定部（１１６）とを有し、前記属性付き磁石収納領域から取り外された所望の磁石が、前記地図上の所望の位置に貼付されたとき、前記属性領域決定部は、前記磁石位置決定部から出力される前記磁石の取り外し座標位置に基づき、前記記憶装置を参照して前記取り外された所望の磁石に係る属性情報を読み出し、前記地理的位置決定部は、前記磁石位置決定部から出力される前記磁石の貼付座標位置に基づき、前記記憶装置を参照して前記貼付された磁石に係る前記地図上の位置情報を読み出すようにしてもよい（請求項６記載の発明）。
【００２１】
また、請求項６記載の発明において、前記磁石自体に前記属性情報を区別する、○、×等の表示がなされているようにしてもよい（請求項７記載の発明）。
【００２２】
さらにまた、請求項６または７記載の発明において、前記シート体がライティングボードとして用いられるようにしてもよい（請求項８記載の発明）。
【００２３】
この発明の情報入力装置は、縦方向および横方向にそれぞれ複数のコイル（５４）（５６）が巻き付けられた磁性体板（５２）と、前記磁性体板に貼付された、異なる情報の属性に対応した複数の属性付き磁石（３１）と、前記磁性体板上に設けられた、前記磁石の属性のそれぞれに対応した属性付き磁石収納領域（２４）と、前記複数のコイルのそれぞれに接続される積分回路からなる誘導起電力検出部（５８）（６０）と、前記誘導起電力検出部の出力が供給される磁石位置決定部（１６）（１１０）とを備え、前記属性付き磁石収納領域から前記属性付き磁石が取り外されたとき、前記磁石位置決定部により前記誘導起電力検出部の前記積分回路の出力に基づいて前記複数のコイルと前記属性付き磁石取り外し位置との間の距離を求め前記属性付き磁石の取り外された属性付き磁石収納領域を決定し、前記磁性体板に、取り外された前記属性付き磁石が貼付されたとき、この貼付された前記属性付き磁石の貼付座標位置を、前記磁石位置決定部により前記誘導起電力検出部の前記積分回路の出力に基づいて前記複数のコイルと前記属性付き磁石貼付位置との間の距離を求め決定することを特徴とする（請求項９記載の発明）。
【００２４】
【発明の実施の形態】
以下、この発明の一実施の形態について図面を参照して説明する。
【００２５】
図１は、この発明の一実施の形態が適用された情報入出力システム１０の基本的な構成を示している。
【００２６】
この情報入出力システム１０は、基本的には、磁石を利用した情報入力ボード１２と、この情報入力ボード１２にケーブル１４を介して接続される情報処理装置としてのパーソナルコンピュータ１６と、このパーソナルコンピュータ１６にケーブル１８を介して接続される情報出力装置としてのプリンタ１９とから構成されている。
【００２７】
この情報入力ボード１２は、マーカー等により文字・記号・図形等を描くことが可能なライティングボードとしても機能する。
【００２８】
この実施の形態において、情報入力ボード１２の表面には、地図２０が印刷等により描かれた地図表示領域２２と、属性付き磁石収納領域２４とに区分されたシート体２５が取り付けられている。シート体２５としては、磁石シート、磁性体のシートあるいは非磁性体のシートを用いることができる。
【００２９】
シート体２５の表面には、これら地図表示領域２２と属性付き磁石収納領域２４を形成する罫線が印刷等により形成され、最も外側の枠を形成する罫線（枠線ともいう。）２６の左上隅の点Ｏが、後述するようにこの情報入力ボード１２の座標原点とされる。この図１例では、この枠線２６内の領域、すなわち、地図表示領域２２と磁石収納領域２４とを合わせた領域が、磁石３１の貼付位置・取り外し位置決定領域（磁石位置決定領域ともいう。）２９とされている。
【００３０】
地図２０には、Ａ町、Ｂ町、Ｃ町、Ｄ町に係るＡ町領域２０Ａ、Ｂ町領域２０Ｂ、Ｃ町領域２０Ｃ、Ｄ町領域２０Ｄ、およびこれら以外の領域２０Ｅが描かれている。また、属性付き磁石収納領域２４は、属性が火災を示す磁石収納領域（火災表示用磁石収納領域ともいう。）２４Ａと、属性が浸水を示す磁石収納領域（浸水表示用磁石収納領域ともいう。）２４Ｂと、属性が通行止を示す磁石収納領域（通行止表示用磁石収納領域ともいう。）２４Ｃと、予備用磁石収納領域２４Ｄ、２４Ｅとに区分されている。
【００３１】
この実施の形態において、白丸形の磁石３１αは属性として火災を意味し、星形の磁石３１βは属性として浸水を意味し、丸に×印を描いた丸×印の磁石３１γは属性として通行止を意味している。これらの意味から、以下、それぞれ白丸形の磁石３１αを火災表示用磁石３１α、星形の磁石３１βを浸水表示用磁石３１β、丸×印の磁石３１γを通行止表示用磁石３１γともいう。
【００３２】
たとえば、Ａ町領域２０Ａのある地区において火災が発生したことが、この情報入力ボード１２が設置された場所に、火災の発見者等から通報されたとき、操作者により、火災表示用磁石収納領域２４Ａから白丸形の磁石３１αが取り外され、地図２０上のＡ町領域２０Ａのある地区に貼付される。そのＡ町のある地区で火災が鎮火したことが連絡されたときには、Ａ町領域２０Ａのある地区に貼付されていた白丸形の磁石３１αが取り外され、火災表示用磁石収納領域２４Ａにもどされて貼付される。
【００３３】
なお、ある磁石収納領域２４から全ての磁石３１が取り外されることを考慮して、それぞれの磁石収納領域２４Ａ、２４Ｂ、２４Ｃのシート体２５（情報入力ボード１２）上には、それぞれ、「火災」、「浸水」、「通行止」の文字を予め書き込んでいる。
【００３４】
情報入力ボード１２上での磁石３１の位置が変化したとき、この磁石の位置が変化したことを示す情報信号（後述する。）が、ケーブル１４を通じてパーソナルコンピュータ１６の本体部４０に供給される。このパーソナルコンピュータ１６は、この本体部４０と、この本体部４０に接続されるマウス４２、キーボード４４等の入力装置４６と、表示手段としてのＣＲＴモニタ４８等により構成されている。
【００３５】
ＣＲＴモニタ４８の画面には、たとえば、火災等の災害名と、その災害の連絡時刻と、Ａ町等の発生場所が表示され、さらに、これらの画面表示が、ケーブル１８を通じて接続されるプリンタ１９によりハードコピー５０として表現される。
【００３６】
図２は、図１に示した情報入出力システム１０の電気回路的ブロック図を示している。
【００３７】
情報入力ボード１２は、磁性体板５２を有し、この磁性体板５２の縦方向および横方向に格子上にそれぞれ複数のコイル５４、５６が一定間隔で巻き付けられている。この実施の形態においては、約８０ｃｍ×６０ｃｍの磁性体板５２上に、それぞれ１０ｃｍ間隔で縦方向のコイル５４が９個、横方向のコイル５６が７個巻かれている。コイル５４、５６のターン数は、この実施の形態においては、それぞれ、２０回である。また、コイル５４、５６の線径、巻き幅等の幾何学的形状は同一のものを使用している。
【００３８】
実際上、情報入力ボード１２は、図３の部分断面図に示すように、コイル５４、５６（図３上では、コイル５４は現れていない。）が巻き付けられた磁性体板５２の表面にライティングボードとしても機能するシート体２５が取り付けられた構成とされている。このシート体２５の表面に磁石３１が貼付される。磁性体板５２としては、たとえば、鉄板が採用されるが、その場合には、厚みは１ｍｍ程度以下で充分であるので、補強のために、その鉄板の裏側に樹脂製の板や合板等の軽くて丈夫な補強板を貼り付けるようにする。磁性体板５２を鉄板付き補強板とした場合には、補強板にコイル５４、５６を巻き付けるための溝を設けると都合がよい。
【００３９】
再び、図２において、縦方向の各コイル５４は、誘導起電力検出部として機能する９個の積分回路５８にそれぞれ接続される。横方向の各コイル５６は、誘導起電力検出部として機能する７個の積分回路６０にそれぞれ接続される。
【００４０】
図４は、積分回路５８（６０）の構成例を示している。積分回路５８（６０）は、演算増幅器６２を利用した構成とされている。演算増幅器６２の反転入力と出力との間に容量Ｃのコンデンサ６６が接続され、反転入力には抵抗値Ｒの抵抗器６４の一端部が接続されている。抵抗器６４の他端部と、接地電位とされた非反転入力との間に、端子７０、７２を介してコイル５４（５６）が接続されている。コンデンサ６６と並列にコンデンサ放電用の電子スイッチ６８と抵抗器７４の直列回路が取り付けられている。なお、図４例の積分回路５８（６０）においては繁雑となるので電源や一部の接地は原則として省略している。
【００４１】
電子スイッチ６８は、可動接点６８ａと固定接点６８ｂと、可動接点６８ａを開閉するための制御端子６８ｃとから構成され、制御端子６８ｃと積分回路５８（６０）が、それぞれ端子７６、７８を通じて、図２に示すマルチプレクサ８０、８２に接続されている。端子７８には、後述するように誘導起電力の積分出力（誘導起電力の積分信号または誘導起電力の積分値ともいう。）Ｓｉが現れる。制御端子６８ｃにはマルチプレクサ８０、８２側からスイッチのオンオフ制御信号である放電制御信号Ｓｄが供給される。
【００４２】
マルチプレクサ８０、８２は、それぞれ制御線と信号線とを有するケーブル８４、８６（このケーブル８４、８６は、図１中のケーブル１４に含まれる。）を通じてパーソナルコンピュータ１６を構成するインタフェース８８に接続されている。このインタフェース８８には、Ａ／Ｄ変換器やレベル変換器が含まれ、このＡ／Ｄ変換器によりデジタルデータに変換された、各積分回路５８、６０を通じて検出される各コイル５４、５６に発生する誘導起電力の積分値Ｓｉが、バス９０に供給される。また、バス９０からの放電制御信号Ｓｄがマルチプレクサ８０、８２を介して積分回路５８、６０の電子スイッチ６８の制御端子６８ｃに供給される。
【００４３】
なお、インタフェース８８を構成するＡ／Ｄ変換器やレベル変換器は、情報入力ボード１２側に設けておき、デジタルデータがケーブル８４、８６（ケーブル１４）を通じて伝送されるようにしてもよい。
【００４４】
パーソナルコンピュータ１６は、計算機であり、バス９０には、ＣＰＵ（中央処理装置）９２、メモリ（記憶装置）であるＲＯＭ（ここでは、書き換え可能なフラッシュＲＯＭ等のＥＥＰＲＯＭも含む。）９４、作業用のメモリであるＲＡＭ（ランダムアクセスメモリ）９６、年月日時刻を得るための時計９８，時間を計時するためのタイマ１００が接続されるとともに、インタフェース１０２、１０４を通じてそれぞれ入力装置４６、モニタ４８が接続されている。また、バス９０には、ハードディスクドライブ等のインタフェース１０８を通じて大容量記憶媒体であるハードディスク１０９が接続されている。さらに、バス９０には、プリンタ１９用のインタフェース１０６も接続されている。
【００４５】
図５は、ＲＯＭ９４やハードディスク１０９に記憶されているプログラムに基づく、パーソナルコンピュータ１６（ＣＰＵ９２）により遂行される情報入出力システム１０の機能のブロック図を示している。
【００４６】
マルチプレクサ８０、８２の出力である誘導起電力出力としての誘導起電力の積分値Ｓｉが、信号判定部１１９を介して磁石位置決定部１１０と連絡時刻決定部１１２に供給される。
【００４７】
信号判定部１１９は、入力情報としての誘導起電力の積分値Ｓｉが適正であるかどうかを判定する処理を行う。この判定処理は、積分値Ｓｉのレベル（信号レベル）が、ノイズと区別するための所定の閾値レベルを超えているかどうか、積分値Ｓｉを発生したコイル５４、５６の組み合わせが不自然ではないか｛たとえば、相互に離れた位置のコイル５４、５６から積分値Ｓｉ（信号）が発生した場合には不自然であると見なしている。｝の確認処理である。
【００４８】
さらに、信号判定部１１９は、積分値Ｓｉが検出されたとき、判定が適正であると判断した積分値Ｓｉを磁石位置決定部１１０と連絡時刻決定部１１２に供給するとともに、積分値Ｓｉが適正であるかどうかに拘わらず、積分値Ｓｉが検出されたコイル５４、５６に対する放電指示信号を放電制御部１２２に供給する。
【００４９】
連絡時刻決定部１１２は、信号判定部１１９を経由して誘導起電力の積分値Ｓｉが供給されてきたとき、換言すれば、誘導起電力の積分値Ｓｉに所定の閾値レベル以上の変化があったときの時刻を時計９８を参照して、連絡時刻出力Ｑｂとして出力する。
【００５０】
磁石位置決定部１１０は、誘導起電力の積分値Ｓｉに基づき、情報入力ボード１２の磁石位置決定領域２９上での磁石３１の取り外し位置および貼付位置を座標原点Ｏを基準として決定し、決定した座標位置Ｐ（ｘ，ｙ）を地理的位置決定部１１４と属性領域決定部１１６に供給する。
【００５１】
地理的位置決定部１１４は、座標位置Ｐ（ｘ，ｙ）により、ハードディスク１０９内の磁石位置対地図位置情報記憶部１２０および詳細を後述する取り外し貼付の場合分け表（貼付取り外し場合分け表、あるいは単に場合分け表ともいう。）２１０を参照して、地図位置情報出力Ｑｃを出力する。
【００５２】
属性領域決定部１１６は、座標位置Ｐ（ｘ，ｙ）によりハードディスク１０９内の属性付き磁石位置対磁石収納領域１１８および場合分け表２１０を参照して、属性情報出力Ｑｄを出力する。
【００５３】
ここで、連絡時刻出力Ｑｂは、たとえば、火災発生等の連絡年月日時刻情報であり、地図位置情報出力Ｑｃは、たとえば、Ａ町（町名）等とその地区名の情報であり、属性情報出力Ｑｄは、火災、通行止、浸水等の属性情報である。これら連絡時刻出力Ｑｂ、地図位置情報出力Ｑｃおよび属性情報出力Ｑｄは、パーソナルコンピュータ１６の本体部４０に内蔵されるハードディスク１０９の所定の記憶部に記憶される。
【００５４】
なお、磁石位置決定部１１０により磁石の座標位置Ｐ（ｘ，ｙ）が決定されたとき、そのことが放電制御部１２２に知らされ、放電制御信号Ｓｄがオン状態とされ、可動接点６８ａが一定期間閉じられて、コンデンサ６６に充電された誘導起電力の積分値Ｓｉに係る電荷、換言すれば、座標位置Ｐ（ｘ，ｙ）を表す電荷が放電される。
【００５５】
次に、上記実施の形態の動作についてさらに詳しく説明する。
【００５６】
まず、磁石位置決定部１１０の動作原理に基づき説明する。
【００５７】
図６は、磁性体板５２上に縦方向にコイル５４が１個巻かれている状態を示している。磁束Ｆを発生している磁石３１を磁性体板５２からの取り外し方向Ｕあるいは貼付方向（取付方向）Ｄに移動させた場合、コイル５４を貫通する磁束φが変化する。磁束φの時間的な変化が発生した場合、コイル５４には、電磁誘導により誘導起電力Ｅが発生する。
【００５８】
コイル５４を貫通する磁束φの変化は、コイル５４と磁石３１との間の距離ｒによって定まるが、誘導起電力Ｅの時間変化量（−ｄφ／ｄｔ：ｄφは磁束変化、ｄｔは時間変化）は、磁石３１の貼付（取付）速度および取り外しの速度に依存する。すなわち、磁石３１の取付取り外しを操作者がゆっくり行うか早く行うかにより誘導起電力Ｅの値が異なることとなる。
【００５９】
これに対して、コイル５４に発生する誘導起電力Ｅの時間積分値（図４中、誘導起電力の積分値Ｓｉの符号位置参照）は、磁束φの変化量に比例する量となり、原理的には磁石３１の磁化強度が一定であれば、磁石３１とコイル５４との間の距離ｒに依存する量となる。
【００６０】
図７に、コイル５４の誘導起電力の積分回路５８を通過した後の信号（誘導起電力の積分値）Ｓｉを、コイル５４と磁石３１との間の距離ｒを変化させた場合の計測値としての特性２００を示す。
【００６１】
なお、特性２００の原点付近における急激に変化する領域２０２は、コイル５４の略巻き線部の幅Ｗと磁石３１の半径との和（図６参照）に対応する。この幅Ｗの巻き線部に対応する領域２０２から離れるに従い、誘導起電力の積分値Ｓｉは、略反比例的に小さくなることが分かる。また、磁石３１を貼付した場合と取り外した場合には、相互に極性の反転した特性２００、２０４となるだけであり、誘導起電力の積分値Ｓｉの距離ｒに対する値は同一である。
【００６２】
領域２０２を除いて、誘導起電力の積分値Ｓｉは、磁石３１の磁化強度に比例する定数をＡ、曲線の傾斜（曲率）を決める定数をｂとするとき、下記の（１）式の略反比例の式により近似できる。
【００６３】
Ｓｉ＝Ａ／ｒｂ                    …（１）
なお、上述した特性２０２、２０４は、縦方向のコイル５４ばかりでなく、横方向のコイル５６と磁石３１との間でも同一の関係にあることはいうまでもない。
【００６４】
したがって、予めシート体２５上の磁石位置決定領域２９の全領域で、全てのコイル５４、５６に対する誘導起電力の積分値Ｓｉの特性２００、２０４を測定してメモリであるＲＯＭ９４（ハードディスク１０９でもよい。）に記憶しておくことで、シート体２５上の磁石位置決定領域２９の全領域において、磁石３１を貼付した位置および取り外した位置を特定することができる。
【００６５】
厳密に考えると、磁石３１の寸法が変更された場合には、この（１）式の関係式の精度は若干落ちるが、実用上充分な近似を有することを実験的に確認している。なお、図１例では、浸水表示用磁石３１βを、星形の磁石としているが、星形の磁石ではなく、火災表示用磁石３１αや通行止表示用磁石３１γと同様に、丸形の磁石に星印を書き込んだものとしてもよい。
【００６６】
また、磁石３１の貼付時、取り外し時の速度が極端に遅い場合や、貼付する直前で一旦停止させた場合等には、図７に示した特性２００、２０４がくずれるおそれがある。これは、積分回路５８、６０の時定数を超えるような緩慢な動作を行ったために、積分回路５８、６０の出力が適正でなくなることを原因とする。しかしながら、多くの操作者に依頼した実験によれば、操作者による誘導起電力の積分値Ｓｉのばらつきの差がきわめて少ないことが判明し、実用上全く問題がないことを確認している。
【００６７】
しかし、実際上、縦方向のコイル５４および横方向のコイル５６のそれぞれ１組により、磁石位置を測定する場合において、磁石３１の磁化強度が異なっている場合には、図８に示すように、特性２００が変化する。すなわち、磁石３１の磁化強度が標準値である特性２００に対して、磁化強度が大きい場合には特性２００Ｈに示すように誘導起電力の積分値Ｓｉの値が大きくなり、磁化強度が小さい場合には特性２００Ｌに示すように積分値Ｓｉが小さくなる。
【００６８】
そこで、この情報入出力システム１０では、磁化強度の程度の差の影響を除去するために、Ｘ軸、Ｙ軸とも、それぞれ、２個以上のコイル５４、５６を利用して距離ｒを計測するようにしている。
【００６９】
この計測例について説明すると、たとえば、図９に示すように、隣り合うコイル５６ａ、５６ｂの線間距離がＲのコイル５６ａからの距離ｒ１、コイル５６ｂからの距離ｒ２の地点で磁石３１を貼付あるいは取り外しする場合を考える。この場合、コイル５６ａで発生する誘導起電力の積分値ＳｉをＳｉ＝Ｓ１、コイル５６ｂで発生する誘導起電力の積分値ＳｉをＳｉ＝Ｓ２とする。
【００７０】
このとき、上記（１）式と図９を参照して、次の（２）、（３）、（４）式が成立することが容易に理解される。
【００７１】
Ｓ１＝Ａ／（ｒ１）ｂ                        …（２）
Ｓ２＝Ａ／（ｒ２）ｂ                        …（３）
ｒ２＝ｒ１−Ｒ                            …（４）
上記（２）、（３）、（４）式を距離ｒ１で解くことにより、距離ｒ１が、次の（５）式で得られる。
【００７２】
ｒ１＝Ｒ／｛１−（Ｓ１／Ｓ２）１／ｂ｝        …（５）
この（５）式から分かるように、同方向の複数のコイル５６ａ、５６ｂに係る誘導起電力の積分値Ｓ１、Ｓ２を用いることにより、磁石３１の磁化強度Ａとは無関係に、コイル５６ａ、５６ｂ間の距離Ｒと、積分値Ｓ１、Ｓ２と、定数ｂのみにより距離ｒ１を求めることができることが分かる。
【００７３】
以上説明した原理を用いることにより、磁性体板５２上に縦方向および横方向に一定の間隔でコイル５４、５６を配置して、磁石３１を貼付あるいは取り外したときにコイル５４、５６に発生する誘導起電力の積分値Ｓｉを常時計測（非常に短い時間で繰り返し計測する意味）することにより磁石３１を貼付あるいは取り外した時刻およびその貼付位置、取り外し位置を決定することができる。
【００７４】
なお、より一層正確に貼付取り外し位置を決定することを考えた場合には、Ｘ軸方向Ｙ軸方向ともそれぞれ３個以上のコイル５４、５６の誘導起電力の積分値Ｓｉを用い、最小自乗法等の手法を用いることで、位置決定の誤差をより少なくすることができる。
【００７５】
この実施の形態では、コイル５４、５６のうち、それぞれ磁石３１の貼付取り外し位置近傍の各３個のコイル５４、５６を使用するようにしている。
【００７６】
具体的に示すと、図１０は、コイル５４、５６の配置と枠線２６と磁石位置決定領域２９と地図２０と磁石収納領域２４の枠線を描いた図を示している。
【００７７】
図１１に示す位置に磁石３１が貼付されたとき、この磁石３１に近い順で縦方向の３個のコイル５４ｐ、５６ｑ、５６ｒと、横方向の３個のコイル５６ｐ、５６ｑ、５６ｒに係る、それぞれ３個の誘導起電力の積分値Ｓｉから磁石３１の地図２０上の位置あるいは磁石収納領域２４Ａ、２４Ｂ、２４Ｃの位置を決定するようにしている。
【００７８】
以上の説明が磁石位置決定部１１０における座標位置Ｐ（ｘ，ｙ）の決定動作の説明である。この場合、この実施の形態において、磁石３１の座標位置Ｐ（ｘ，ｙ）は、磁石３１の貼付取り外し動作に係る誘導起電力の積分値Ｓｉに基づき決定するようにしているので、測定中に、たとえば、高周波ノイズ等が混入した場合においても、積分回路５８（６０）の積分作用によりノイズの影響を除去して正確に位置を決定することができる。
【００７９】
なお、図１に示した情報入出力システム１０においては、きわめて短い時間にマルチプレクサ８０、８２をスキャンして各コイル５４、５６の積分回路５８、６０の出力である誘導起電力の積分値Ｓｉをパーソナルコンピュータ１６内に取り込むことができるので、積分回路５８、６０の出力側にピークホールド回路等を必要としないが、磁石位置決定領域２９をさらに大きくしたい場合等においては、必要に応じて積分回路５８、６０の出力側にピークホールド回路を挿入することで、マルチプレクサ８０、８２をスキャンする遅延時間による各コイル５４、５６に発生する誘導起電力の積分値Ｓｉの変化量の誤差を除去することができる。
【００８０】
次に、磁石３１の貼り付けられた座標位置Ｐ（ｘ、ｙ）が決定されたとき、その座標位置Ｐ（ｘ，ｙ）が、情報入力ボード１２上に描かれたどの領域に属するのかを、地理的位置決定部１１４と属性領域決定部１１６により決定するために参照される磁石位置対属性付き磁石収納領域記憶部１１８の記憶データ（属性情報参照表Ｔａともいう。）と、磁石位置対地図位置情報記憶部１２０の記憶データの作成（地図位置情報参照表Ｔｍともいう。）について説明する。
【００８１】
ここでは、理解の容易化のために、特定しようとする領域が、図１に示すＡ町領域２０Ａ、Ｂ町領域２０Ｂ、Ｃ町領域２０Ｃ、Ｄ町領域２０Ｄ、これら以外の領域２０Ｅと、火災表示用磁石収納領域２４Ａ、浸水表示用磁石収納領域２４Ｂおよび通行止表示用磁石収納領域２４Ｃ、これら以外の予備用磁石収納領域２４Ｄ、Ｅであるものとする。もちろん、町の中をさらに地区で区分して描いて領域を特定することも可能であるが、これらの地区は、実際上は、地図情報システム（ＧＩＳ）等のデータベースを利用して求めることができる。
【００８２】
この場合、まず、図３を参照して説明すれば、コイル５４、５６が巻き付けられた磁性体板５２の表面にシート体２５を取り付ける。このシート体２５に地図２０や属性付き磁石収納領域２４が印刷されていてもよいし、このシート体２５をコイル付き磁性体板５２上の表面に取り付けた後、そのシート体２５上に地図２０を貼り付けたり描画したり、あるいは属性付き磁石収納領域２４を貼り付けたりまたは描画したりしてもよい。
【００８３】
ここでは、コイル付き磁性体板５２上の図１２に示す位置に、地図２０等を有するシート体２５が取り付けられたものとする。
【００８４】
次に、この図１２に示す磁石位置決定領域２９の基準位置（座標原点）Ｏに磁石３１を置き、その点の位置座標を原点位置座標Ｐ（０，０）とする。
【００８５】
次に、図１２に黒丸印で示す、枠線２６内の各領域２０Ａ〜２０Ｄ、２４Ａ〜２４Ｅを区画する頂点位置（基準位置Ｏも含む。）に磁石３１を順次貼付し、各頂点位置の原点位置座標に対する位置座標Ｐ（ｘ，ｙ）を得る。このようにして、各領域２０Ａ〜２０Ｅ、２４Ａ〜２４Ｅの基準位置Ｏを原点とする座標位置Ｐ（ｘ，ｙ）の範囲を決定することができる。
【００８６】
すなわち、Ａ町領域２０Ａ、Ｂ町領域２０Ｂ、Ｃ町領域２０Ｃ、Ｄ町領域２０Ｄ、これら以外の領域２０Ｅに対する各座標位置Ｐ（ｘ，ｙ）の範囲を示す地図位置情報参照表Ｔｍと、火災表示用磁石収納領域２４Ａ、浸水表示用磁石収納領域２４Ｂおよび通行止表示用磁石収納領域２４Ｃ、これら以外の予備用磁石収納領域２４Ｄ、Ｅに対する各座標位置Ｐ（ｘ，ｙ）の範囲を示す属性情報参照表Ｔａとが作成される。
【００８７】
このようにして決定した属性情報参照表Ｔａを磁石位置対属性付き磁石収納領域記憶部１１８に記憶させるとともに、地図位置情報参照表Ｔｍを磁石位置対地図位置情報記憶部１２０に記憶させる。
【００８８】
なお、地図２０では、予め地図上の位置、すなわち緯度経度が分かっているので、地図２０上での適当な２点上での緯度経度を予め記憶しておくことにより、地図２０を含む領域２０Ａ〜２０Ｅの範囲は、比例計算により緯度経度で表すこともできる。そして、この緯度経度を地図情報システム（ＧＩＳ）等のデータベースに入力すれば、地図上の場所や市名、町名地区等を特定することができる。
【００８９】
次に、上記した情報入出力システム１０の全体的な動作について、図１３のフローチャートを参照して説明するが、この説明の前に、磁石３１の位置決定と取り外し貼付の判定との関係について説明する。
【００９０】
図７の特性２００、２０４に示したように、磁石３１を情報入力ボード１２に貼付した場合と取り外した場合とでは積分値Ｓｉの極性が反転する。したがって、コイル５４、５６の誘導起電力の積分値Ｓｉが検出（計測）された場合、磁石３１に対する移動操作が貼付か取り外しかが分かっている場合には、これに対応して特性２００または特性２０４を選択することが可能となり、磁石３１の位置を一意に決定することができる。このように、コイル５４、５６の誘導起電力の積分値Ｓｉから磁石位置を決定するためには、貼付取り外しの判定が必要である。
【００９１】
一方、磁石３１の移動操作は、常に、ある一つの場所から取り外した後、所望の場所に貼り付けるという二つの操作がセット（組、対）になっている。これは、磁石３１が全て磁石収納領域２４に貼付されている初期状態から考えると、１回目の操作は取り外し、２回目の操作は貼付と見なすことができる。すなわち、取り外し、貼付という一連の操作が終了した後の次の操作は再び取り外し操作から開始される。したがって、初期状態からの最初の操作は取り外し、次の操作は貼付と判定し、この時点で操作対（取り外し操作と、この操作の次に発生した貼付操作の対）をリセットして、再び初回の操作は取り外し操作、２回目の操作は貼付操作と判定することができる。
【００９２】
なお、取り外し、貼付をさらに簡易に判定するためには、地図表示領域２２は格子上に配されるコイル５４、５６により位置を検出するようにし、属性付き磁石収納領域２４を構成する各磁石収納領域２４Ａ〜２４Ｅは、それぞれに対して、コイル５４、５６とは、別のコイル対を設け、各コイル対で各磁石収納領域２４Ａ〜２４Ｅを検出するように構成してもよい。
【００９３】
そこで、まず、ステップＳ１における初期処理として、全ての磁石３１を情報入力ボード１２から取り外し、磁石３１α、３１β、３１γを、それぞれ、対応する所定の収納領域である火災表示用磁石収納領域２４Ａ、浸水表示用磁石収納領域２４Ｂ、通行止表示用磁石収納領域２４Ｃに貼付する。
【００９４】
以降、情報入力ボード１２上、より正確に表現すれば磁石位置決定領域２９（地図表示領域２２と磁石収納領域２４を合わせた領域）内に貼付する磁石３１は、必ず、これら磁石収納領域２４Ａ、２４Ｂ、２４Ｃから取り外したものを用いるものとする。
【００９５】
また、図１４の取り外し貼付の場合分け表２１０に示すように、４種類（４値）の場合分けコード（単に、コードともいう。）［ｉｊ］＝［００，０１，１０，１１］中、コード［００］で示す磁石収納領域２４Ａ、２４Ｂ、２４Ｃから取り外した磁石３１は、コード［１０］で示す地図表示領域２２（Ａ町領域２０Ａ、Ｂ町領域２０Ｂ、Ｃ町領域２０Ｃ、およびＤ町領域２０Ｄのいずれかの領域）に貼付するか、コード［０１］で示す、取り外した磁石収納領域２４Ａ〜２４Ｃと同一の領域にもどす（再貼付する）ものとする。同一の領域にもどすのは間違って取り外した場合を考慮したものである。
【００９６】
同様に、コード［１１］で示す地図表示領域２２（Ａ町領域２０Ａ、Ｂ町領域２０Ｂ、Ｃ町領域２０Ｃ、およびＤ町領域２０Ｄのいずれかの領域）から取り外した磁石３１は、コード［０１］で示す磁石収納領域２４Ａ、２４Ｂ、２４Ｃに貼付するか、間違って取り外した場合を考慮してコード［１０］で示す取り外した地図表示領域２２と同一の領域にもどすものとする。
【００９７】
なお、取り外し貼付の場合分け表２１０は、予めＲＯＭ９４内に記憶され、地理的位置決定部１１４と属性領域決定部１１６により参照される（図５も参照）。
【００９８】
さらに、一度に２つ以上の磁石３１を同時に磁石収納領域２４Ａ、２４Ｂ、２４Ｃから地図表示領域２２へ、あるいは地図表示領域２２から磁石収納領域２４Ａ、２４Ｂ、２４Ｃへは移動させないものとする。
【００９９】
この初期処理において、制御手段としてのパーソナルコンピュータ１６は、さらに、放電制御信号Ｓｄによりスイッチ６８を開き、積分回路５８（６０）を積分動作可能状態とする。
【０１００】
次に、ステップＳ２において、全ての積分回路５８、６０の出力、すなわち誘導起電力の積分値Ｓｉの値をマルチプレクサ８０、８２を介して常時、たとえば、一定周期である約０．１秒毎に取り込み（スキャンし）、積分値Ｓｉの変動があるかどうかを監視する。
【０１０１】
磁石３１が全て磁石収納領域２４Ａ、２４Ｂ、２４Ｃに貼付された状態において、電話あるいは無線等により災害等の連絡があった場合には、磁石３１の操作者（磁石３１の移動者）が、その連絡のあった災害情報に対応する磁石３１を取り外す。
【０１０２】
磁石３１が取り外されたとき、その磁石３１の取り外しを原因としてコイル５４、５６に誘導起電力Ｅが発生し、ステップＳ３において、その各コイル５４、５６に接続された１６個の各積分回路５８、６０の各誘導起電力の積分値Ｓｉが信号判定部１１９により取り込まれ、ＲＡＭ９６に、一旦、記憶される。
【０１０３】
なお、積分値Ｓｉを取り込む際に、信号判定部１１９は、ノイズ等ではなく磁石３１からの誘導起電力Ｅを原因とする信号であることを確認するため、上述したように、ＲＡＭ９６に記憶された誘導起電力の積分値Ｓｉの大きさが一定の閾値レベル以上であり、かつ隣接したコイル５４、５６からの信号であることを確認する。このとき、信号判定部１１９は、放電指示信号を放電制御部１２２に供給する。
【０１０４】
次に、ステップＳ４において、放電制御部１２２は、積分回路５８（６０）のスイッチ６８を閉じるためのレベルに変化させた放電制御信号Ｓｄを、電子スイッチ６８の制御端子６８ｃに一定時間供給して、コンデンサ６６に蓄積された電荷を放電する。これにより積分回路５８（６０）は、再度積分動作が可能な状態とされる。
【０１０５】
次に、ステップＳ５において、磁石３１の移動操作手順から磁石３１の取り外し、貼付の判定を行う。ここでは初期状態から最初の操作であるので、磁石３１は、取り外しと判定される。
【０１０６】
次に、ステップＳ６において、磁石位置決定部１１０は、ステップＳ３においてＲＡＭ９６に取り込んだ誘導起電力の積分値Ｓｉのうち、横方向のコイル５６に配置された積分回路６０、縦方向のコイル５６に配置された積分回路５８のうち、上述したように、それぞれ３番目までの値の大きな積分値ＳｉおよびステップＳ５における取り外し、貼付の判定結果から、取り外しあるいは貼付された磁石３１の位置Ｐ（ｘ，ｙ）を決定する。この磁石位置Ｐ（ｘ，ｙ）は、ＲＡＭ９６に、一旦、記憶される。
【０１０７】
次に、ステップＳ７において、地理的位置決定部１１４および属性領域決定部１１６は、決定された磁石位置Ｐ（ｘ，ｙ）と、取り外しあるいは貼付の判定結果に基づき、場合分け表２１０を参照して場合分けコード［ｉｊ］を決定しＲＡＭ９６に記憶する。
【０１０８】
たとえば、磁石収納領域２４からの取り外しの場合は、場合分けコード［００］を記憶する。なお、どの磁石収納領域２４であるのかは、ステップＳ４の磁石位置決定処理により確定している。
【０１０９】
次に、ステップＳ８において、地理的位置決定部１１４あるいは属性領域決定部１１６は、前回のステップＳ７の処理において場合分けコード［ｉｊ］が決定されているかどうか判断する。
【０１１０】
場合分けコード［ｉｊ］が決定されていない場合には、ステップＳ９において、連絡時刻決定部１１２は、ステップＳ３での積分値Ｓｉの取り込み時刻を時計９８を参照して決定し、連絡時刻出力Ｑｂとしてハードディスク１０９に記憶する。なお、ステップＳ２からステップＳ９までの処理は瞬時に行われる。
【０１１１】
次いで、再び、ステップＳ２の積分値Ｓｉの変動の確認を行う。
【０１１２】
そして、次に変動を確認した場合、積分値Ｓｉに対する信号取り込みの検証を行い（ステップＳ３）、放電処理を行う（ステップＳ４）。さらに、前回操作との関係から取り外し、貼付のいずれの操作であるかを判定する（ステップＳ５）。次に、取り外し、貼付の判定結果と新たな積分値Ｓｉから磁石３１の位置を決定する（ステップＳ６）。
【０１１３】
ステップＳ６で貼付と決定した場合、ステップＳ７において、場合分けコードを、たとえば、コード［１０］と決定する。
【０１１４】
次いで、ステップＳ８において前回の場合分けコードの決定がなされていた場合、ステップＳ１０において出力処理を行う。ここでは、前回のステップＳ７の処理で場合分けコード［００］が決定されているので、ＲＡＭ９６には、１組のコード対（［００］、［１０］）が記憶されることになる。
【０１１５】
ここで、前回の場合分けコード［ｉｊ］が決定されているということは、取り外し、貼付という操作対（操作セット）において、２回目の操作、すなわち貼付操作であることを意味している。逆に言えば、前回の場合分けコード［ｉｊ］が決定されていないということは、新たな取り外し、貼付操作の開始であり、取り外し操作であることを意味している。
【０１１６】
上記の出力処理では、地理的位置決定部１１４および属性領域決定部１１６は、前記１組のコード対（［００］、［１０］）を基に、場合分け表２１０を参照し、コード［００］からコード［１０］への遷移が発生したことが確認されるので、コード［００］時の生成時に記憶してある磁石位置に基づき、磁石位置対属性付き磁石収納領域記憶部１１８を参照して、該当する属性情報（たとえば、火災）を属性情報出力Ｑｄとして出力するとともに、コード［１０］の決定時に記憶してある磁石位置に基づき、磁石位置対地図位置情報記憶部１２０を参照して、該当する地図位置情報（たとえば、Ａ町領域２０Ａ）を地図位置情報出力Ｑｃとして出力する。また、このとき、ステップＳ９で決定している連絡時刻を合わせて出力する。これら連絡時刻出力Ｑｂ、地図位置情報出力Ｑｃおよび属性情報出力Ｑｄは、関連付けられてハードディスク１０９等に記憶される。
【０１１７】
これにより、パーソナルコンピュータ１６のモニタ４８上および（または）プリンタ１９のハードコピー５０として、図１５に示すように、たとえば、「連絡時刻：２月４日１０：２５ａｍ、災害の発災（発生）場所：Ａ町、内容：火災」が、自動的に表示される。
【０１１８】
次いで、ステップＳ１１で、上述したコード対（［００］、［１０］）をＲＡＭ９６から消去して、ステップＳ２の積分値Ｓｉの変動の監視処理にもどる。
【０１１９】
以上説明したように上述の実施の形態によれば、情報入力ボード１２を構成する磁性体板５２に縦方向と横方向に巻かれたコイル５４、５６に発生する誘導起電力Ｅに基づく積分値Ｓｉにより、磁石３１の情報入力ボード１２上での貼付取り外し操作を検出するとともに、貼付取り外し位置を検出するようにしている。
【０１２０】
また、情報入力ボード１２上での磁石３１の貼付取り外し操作を場合分けし、磁石３１の貼付取り外し操作による属性（意味）を決定するようにしている。具体的には、第１の操作により磁石３１が取り外された場合に、その取り外し位置が磁石収納領域２４であるのか地図表示領域２２であるのかを判断し、次に、取り外された磁石３１が第２の操作により貼付された場合、その貼付位置が磁石収納領域２４であるのか地図表示領域２２であるのかを判断して、磁石３１の貼付取り外し操作による属性（意味）を決定するようにしている。
【０１２１】
このように、上述した実施の形態によれば、磁石３１の誘導起電力Ｅを計測処理することにより、情報入力ボード１２上に存在する磁石３１の位置と属性をパーソナルコンピュータ１６の内部処理で再現することができる。また、磁石３１の位置情報（属性情報）と地図情報とを簡単に対応させることができる。
【０１２２】
次に、上述した情報入出力システム１０において、操作者の誤操作や、何らかの原因により発生する電気的ノイズ等により誤った情報が入力された場合の誤操作等に対する対策について説明する。
【０１２３】
ステップＳ１０において、所定の出力Ｑｂ、Ｑｃ、Ｑｄが得られたとき、パーソナルコンピュータ１６内に設けた図示していない音声合成装置により出力結果である連絡時刻、場所、属性の内容を、たとえば、「２月４日午前１０時２５分、Ａ町で火災発生」とスピーカ等から音声により出力させる。
【０１２４】
この音声出力を操作者が確認して、正しい情報であると判断したときには、図示していない「確認スイッチ（ＯＫスイッチ）」を押し、間違い情報であると判断したときには「取消スイッチ（キャンセルスイッチ）」を押すように構成することで、情報を確定あるいは取り消すことができるようにする。
【０１２５】
なお、取消スイッチが押された場合には、「今、移動した磁石を認識することができませんでした。磁石を元の位置にもどしてください。」等の音声出力を発生させ、これにより、操作者は、たとえば、貼り付けた磁石３１を取り外して元の位置に貼付した後、再度磁石３１の取り外し貼付操作を行えばよい。このような場合には、元にもどす間での操作に関してはパーソナルコンピュータ１６のソフトウエアにより取消操作として認識され、データ入力のための操作と区別することができる。
【０１２６】
なお、この発明は、上述の実施の形態に限らず、この発明の要旨を逸脱することなく、種々の構成を採り得ることはもちろんである。
【０１２７】
【発明の効果】
以上説明したように、この発明によれば、簡単な構成で磁性体板上での磁石の位置を知ることができ、かつ磁石の属性情報をデータとして知ることができるという効果が達成される。
【０１２８】
磁性体板上にシート体を取り付け、いわゆるライティングボードとしても使用する場合には、このライティングボード上での磁石の位置（取り外し位置と貼付位置）を知ることができ、かつ予めライティングボード上に属性付き磁石収納領域を設けておくことで、磁石の属性情報をデータとして知ることができる。
【０１２９】
また、ライティングボード上に磁石を利用して情報を入力あるいは表示するようにしているので、マーカ等を使用する従来の方式に比較して操作が容易であり、かつ情報認識能力が高いという効果が達成される。
【０１３０】
しかも、電子黒板上に記載された文字等をビットマップ情報として認識する従来の技術に比較して取り扱う情報量が小さく、結果として、コンピュータでの記録、処理、通信等の負荷を小さくすることができる。換言すれば、記録、処理、通信等の高速化も容易である。
【０１３１】
また、たとえば、磁石により入力表示された情報を、コンピュータにより理解できる情報として入力しているので、災害発生時等において、コンピュータによる情報処理により適切かつ迅速な対策を行える可能性が得られる。
【０１３２】
一般的に、災害発生時に、被災状況をコンピュータにより処理して適切な処理を実行することは、災害の軽減にとって有効とされているが、従来の技術では被災状況の入力の仕方が隘路となっており、この発明によればこの隘路を簡単な構成により解決できる。
【図面の簡単な説明】
【図１】この発明の一実施の形態が適用された情報入出力システムの構成を示す斜視図である。
【図２】図１例の電気回路的構成を示すブロック図である。
【図３】情報入力ボードの断面図である。
【図４】積分回路の構成例を示す回路図である。
【図５】パーソナルコンピュータにより実行される機能ブロック図である。
【図６】磁石位置決定の説明に供される斜視図である。
【図７】磁石位置決定の説明に供される特性図である。
【図８】磁化力が変化した場合における磁石位置決定の説明に供される特性図である。
【図９】磁石位置の決定の説明に供される模式図である。
【図１０】コイル上に磁石位置決定領域を描いた線図である。
【図１１】磁石の位置決定に供されるコイルを説明するための線図である。
【図１２】地図や磁石収納領域の座標位置決定の説明に供される線図である。
【図１３】この実施の形態の動作説明に供されるフローチャートである。
【図１４】この実施の形態の動作説明に供される場合分け表を示す図である。
【図１５】モニタ等への出力例を示す図である。
【符号の説明】
１０…情報入出力システム            １２…情報入力ボード
１４、１８…ケーブル                １６…パーソナルコンピュータ
１９…プリンタ                      ２０…地図
２０Ａ…Ａ町領域                    ２０Ｂ…Ｂ町領域
２０Ｃ…Ｃ町領域                    ２０Ｄ…Ｄ町領域
２０Ｅ…町以外の領域                ２２…地図表示領域
２４…属性付き磁石収納領域          ２４Ａ…火災表示用磁石収納領域
２４Ｂ…浸水表示用磁石収納領域      ２４Ｃ…通行止表示用磁石収納領域
２４Ｄ、２４Ｅ…予備用磁石収納領域  ２５…シート体
２６…罫線（枠線）                  ２９…磁石位置決定領域
３１（３１α、３１β、３１γ）…磁石
４０…本体部                        ４６…入力装置
４８…モニタ                        ５０…ハードコピー
５２…磁性体板                      ５４、５６…コイル
５８、６０…積分回路                ６２…演算増幅器
６４…抵抗器                        ６６…コンデンサ
６８…電子スイッチ                  ８０、８２…マルチプレクサ
９２…ＣＰＵ（中央処理装置）        ９４…ＲＯＭ
９６…ＲＡＭ                        ９８…時計
１００…タイマ                      １０９…ハードディスク
１１０…磁石位置決定部              １１２…連絡時刻決定部
１１４…地理的位置決定部            １１６…属性領域決定部
１１９…信号判定部                  １２２…放電制御部
２００、２００Ｈ、２００Ｌ、２０４…特性
２１０…場合分け表                  Ｏ…基準位置（座標原点）
Ｅ…誘導起電力                      Ｐ（ｘ，ｙ）…座標位置
Ｑｂ…連絡時刻出力                  Ｑｃ…地図位置情報出力
Ｑｄ…属性情報出力                  Ｓｄ…放電制御信号
Ｓｉ…誘導起電力の積分値            Ｗ…巻き線部の幅
【図１】
0003571960.tif 000002
【図２】
0003571960.tif 000003
【図３】
0003571960.tif 000004
【図４】
0003571960.tif 000005
【図５】
0003571960.tif 000006
【図６】
0003571960.tif 000007
【図７】
0003571960.tif 000008
【図８】
0003571960.tif 000009
【図９】
0003571960.tif 000010
【図１０】
0003571960.tif 000011
【図１１】
0003571960.tif 000012
【図１２】
0003571960.tif 000013
【図１３】
0003571960.tif 000014
【図１４】
0003571960.tif 000015
【図１５】
0003571960.tif 000016